(57)【要約】【課題】内部配管を省略して配管コストの低減と施工時間の短縮による作業能率の向上を図ることができるシステムバスルームの壁裏配管構造を提供すること。【解決手段】防水パン３の周縁に垂直に形成されたフランジ部３Ａに沿って壁パネル４を立設して構成されるシステムバスルーム１の前記壁パネル４の裏側の配管構造として、前記壁パネル４の表面を残してその裏側部分を部分的に切り取って配管スペース４Ａを形成するとともに、前記防水パン３のフランジ部３Ａを部分的に切り欠いて切欠部３ａを形成し、防水パン３の下方に立ち上がる一次管１３を、前記防水パネル３のフランジ部３Ａに形成された切欠部３ａに通して前記壁パネル４内の配管スペース４Ａに通し、その端部を前記壁パネル４を貫通してシステムバスルーム１内に臨ませ、該端部に水栓金具１０を接続する構造を採用する。【選択図】図３
2006348662.tif 000002
【特許請求の範囲】
【請求項１】
防水パンの周縁に垂直に形成されたフランジ部に沿って壁パネルを立設して構成されるシステムバスルームの前記壁パネルの裏側の配管構造であって、
前記壁パネルの表面を残してその裏側部分を部分的に切り取って配管スペースを形成するとともに、前記防水パンのフランジ部を部分的に切り欠いて切欠部を形成し、防水パンの下方に立ち上がる一次管を、前記防水パンのフランジ部に形成された切欠部に通して前記壁パネル内の配管スペースに通し、その端部を前記壁パネルを貫通してシステムバスルーム内に臨ませ、該端部に水栓金具を接続したことを特徴とするシステムバスルームの壁裏配管構造。
【請求項２】
前記壁パネルを表面板と裏面板の間に断熱材をサンドイッチ状に挟んで３層構造とするとともに、前記表面板を残して前記裏面板と断熱材を部分的に切り取って該壁パネル内に前記配管スペースを形成することを特徴とする請求項１記載のシステムバスルームの壁裏配管構造。
【請求項３】
前記壁パネルの配管スペースの開口部をカバー部材で被覆したことを特徴とする請求項１又は２記載のシステムバスルームの壁裏配管構造。
【請求項４】
前記一次管は少なくとも給水管と給湯管を含む複数の管であって、前記防水パンのフランジ部に複数の切欠部を形成したことを特徴とする請求項１〜３の何れかに記載のシステムバスルームの壁裏配管構造。
【請求項５】
前記防水パンのフランジ部の１箇所に前記切欠部を形成し、該切欠部に複数の前記一次管を通すことを特徴とする請求項１〜３の何れかに記載のシステムバスルームの壁裏配管構造。
【請求項６】
前記一次管を可撓性パイプで構成したことを特徴とする請求項１〜５の何れかに記載のシステムバスルームの壁裏配管構造。
【請求項７】
前記可撓性パイプを架橋ポリエチレン管で構成したことを特徴とする請求項６記載のシステムバスルームの壁裏配管構造。
【請求項８】
前記防水パンのフランジ部は、浴室床面との間に立ち上がり段部を有することを特徴とする請求項１〜５の何れかに記載のシステムバスの壁裏配管構造。
【発明の詳細な説明】
【技術分野】
【０００１】
本発明は、防水パンの下方に立ち上がる一次管をシステムバスルーム内の水栓金具に接続するための壁裏配管構造に関するものである。
【背景技術】
【０００２】
システムバスルーム内に設置される水栓金具（カラン）には、床面上に立ち上がる給水管及び給湯管等の一次管が接続されるが、その配管構造の従来例を図１０〜図１２に基づいて説明する（例えば、特許文献１参照）。
【０００３】
即ち、図１０は従来の配管構造を示すシステムバスの側断面図、図１１は同システムバスの斜視図、図１２は同システムバスの分解斜視図である。
【０００４】
図１０に示すように、システムバスにおいては、システムバスルーム１０１内に浴槽１０２が設置されるが、システムバスルーム１０１は、防水パン１０３の周縁に垂直に形成されたフランジ部１０３Ａに沿って壁パネル１０４を四周に立設して構成されている。尚、防水パン１０３は、これの下面に取り付けられた複数本の支柱１０５によって躯体１０６上に水平に設置されている。
【０００５】
ところで、図１１に示すように、システムバスルーム１０１内の壁パネル１０４にはカウンタ１２０及びミラー１０９が設置され、カウンタ１２０には水洗金具（カラン）１１０が取り付けられている。そして、水栓金具１１０には蛇口１１１とシャワー１１２が取り付けられている。
【０００６】
他方、図１２に示すように、躯体１０６上には不図示の給水及び給湯設備から延びる給水管と給湯管から成る一次管１１３が立ち上がっており、この一次管１１３は、以下のような配管構造によって前記水栓金具１１０に接続されている。
【０００７】
即ち、図１０に示すように、防水パン１０３のフランジ部１０３Ａと躯体（間仕切り）１３０との間には微小な隙間δが形成されるが、この隙間δに一次管１１３を通すことができないため、一次管１１３から浴槽１０２内とカウンタ１２０内を通って水栓金具１１０に至る内部配管１２１が必要であった。
【０００８】
具体的には、内部配管１２１は、図１２に示すように、防水パン１０３に形成された円孔１０３ａを貫通して浴槽１０２内を垂直に立ち上がった後、浴槽１０２内で直角に曲げられ、浴槽１０２のコーナー部に形成された切欠き１０２ａを通ってカウンタ１２０内に水平に延び、その端部が水栓金具１１０に接続される。
【特許文献１】実用新案登録第２５６３５８３号公報
【発明の開示】
【発明が解決しようとする課題】
【０００９】
前述のように、図１０〜図１２に示した従来の配管構造では、一次管１１３をシステムバスルーム１０１内の水栓金具１１０に接続するには、浴槽１０２とカウンタ１２０内を迂回する内部配管１２１を必要とするため、配管コストが高くなる他、施工時間が長くなって作業能率が悪いという問題があった。
【００１０】
本発明は上記問題に鑑みてなされたもので、その目的とする処は、内部配管を省略して配管コストの低減と施工時間の短縮による作業能率の向上を図ることができるシステムバスルームの壁裏配管構造を提供することにある。
【課題を解決するための手段】
【００１１】
上記目的を達成するため、請求項１記載の発明は、防水パンの周縁に垂直に形成されたフランジ部に沿って壁パネルを立設して構成されるシステムバスルームの前記壁パネルの裏側の配管構造として、前記壁パネルの表面を残してその裏側部分を部分的に切り取って配管スペースを形成するとともに、前記防水パンのフランジ部を部分的に切り欠いて切欠部を形成し、防水パンの下方に立ち上がる一次管を、前記防水パンのフランジ部に形成された切欠部に通して前記壁パネル内の配管スペースに通し、その端部を前記壁パネルを貫通してシステムバスルーム内に臨ませ、該端部に水栓金具を接続する構造を採用することを特徴とする。
【００１２】
請求項２記載の発明は、請求項１記載の発明において、前記壁パネルを表面板と裏面板の間に断熱材をサンドイッチ状に挟んで３層構造とするとともに、前記表面板を残して前記裏面板と断熱材を部分的に切り取って該壁パネル内に前記配管スペースを形成することを特徴とする。
【００１３】
請求項３記載の発明は、請求項１又は２記載の発明において、前記壁パネルの配管スペースの開口部をカバー部材で被覆したことを特徴とする。
【００１４】
請求項４記載の発明は、請求項１〜３の何れかに記載の発明において、前記一次管は少なくとも給水管と給湯管を含む複数の管であって、前記防水パンのフランジ部に複数の切欠部を形成したことを特徴とする。
【００１５】
請求項５記載の発明は、請求項１〜３の何れかに記載の発明において、前記防水パンのフランジ部の１箇所に前記切欠部を形成し、該切欠部に複数の前記一次管を通すことを特徴とする。
【００１６】
請求項６記載の発明は、請求項１〜５の何れかに記載の発明において、前記一次管を可撓性パイプで構成したことを特徴とする。
【００１７】
請求項７記載の発明は、請求項６記載の発明において、前記可撓性パイプを架橋ポリエチレン管で構成したことを特徴とする。
【００１８】
請求項８記載の発明は、請求項１〜５の何れかに記載の発明において、前記防水パンのフランジ部は、浴室床面との間に立ち上がり部を有することを特徴とする。
【発明の効果】
【００１９】
請求項１記載の発明によれば、防水パンの下方に立ち上がる一次管を、防水パンのフランジ部に形成された切欠部に通して壁パネル内の配管スペースに通して配管するようにしたため、従来要していた内部配管が不要となり、配管コストが低く抑えられるとともに、施工時間が短縮されて作業能率の向上が図られる。
【００２０】
請求項２記載の発明によれば、表面板と裏面板の間に断熱材をサンドイッチ状に挟んで３層構造として構成される壁パネルの表面板を残して裏面板と断熱材を部分的に切り取ることによって該壁パネル内に配管スペースを容易に形成することができる。
【００２１】
請求項３記載の発明によれば、壁パネルの配管スペースの開口部をカバー部材で被覆したため、表面板がカバーによって補強され、水洗金具の壁パネルへの取付強度が高められる。
【００２２】
請求項４記載の発明によれば、防水パンのフランジ部に複数の切欠部を形成し、各切欠部に各一次管を１本ずつ通すようにしたため、各切欠部の切欠幅を小さく抑えることができ、フランジ部の強度低下を最小限に抑えることができる。
【００２３】
請求項５記載の発明によれば、防水パンのフランジ部の１箇所に切欠部を形成し、該切欠部に複数の一次管を通すようにしたため、防水パンのフランジ部への加工工数及び加工コストが削減される。
【００２４】
請求項６及び７記載の発明によれば、一次管１３をフレキシブルな架橋ポリエチレン管等の可撓性パイプで構成したため、これを容易に曲げて配管することができ、該一次管の立上げ位置のズレを柔軟に吸収することができ、現場での施工性が高められる。
【００２５】
請求項８記載の発明によれば、防水パンの浴室床面との間に立ち上がり部を有するフランジ部に切欠部を形成することができ、この切欠部に一次管を通して壁パネル内の配管スペースへと立ち上げることができる。
【発明を実施するための最良の形態】
【００２６】
以下に本発明の実施の形態を添付図面に基づいて説明する。
【００２７】
図１は本発明に係る壁裏配管構造を備えるシステムバスの斜視図、図２は同システムバスの側断面図、図３は壁裏配管部分の斜視図、図４は同壁裏配管部分の側断面図（図２の要部拡大断面図）、図５は図４のＡ−Ａ線断面図、図６（Ａ）〜（Ｃ）は壁パネルに配管スペースを形成する手順を示す斜視図である。
【００２８】
本実施の形態に係るシステムバスにおいては、図１に示すように、システムバスルーム１内に浴槽２が設置されるが、システムバスルーム１は、図２に示すように、防水パン３の周縁に垂直に形成されたフランジ部３Ａに沿って壁パネル４を四周に立設して構成されている。ここで、防水パン３の周縁には、図２〜図４に示すように、浴室床面から垂直に立ち上げる立ち上がり部３ｂが形成されており、この立ち上がり部３ｂの上端に断面Ｌ字状のフランジ部３Ａが形成されている。このフランジ部３Ａは、前記壁パネル４の下端を受ける水平部３Ａ−１と壁パネル４の外面に沿って垂直に立ち上がる垂直部３Ａ−２とで構成されている。又、図２に示すように、防水パン３は、これの下面に取り付けられた複数本の支柱５によって躯体６上に水平に設置されている。
【００２９】
ところで、図１に示すように、システムバスルーム１内の浴槽２に面する壁パネル４には、開閉可能な窓７が設けられ、その下方にはハンドグリップ８が取り付けられている。又、防水パン３の洗い場に面する壁パネル４にはミラー９と水栓金具（カラン）１０が取り付けられており、水栓金具１０には蛇口１１とシャワー１２が取り付けられている。尚、防水パン３の浴槽２に接する最も低い箇所には排水口１８が形成されている。
【００３０】
他方、図２に示すように、躯体６上には不図示の給水及び給湯設備から延びる給水管と給湯管から成る一次管１３が立ち上がっており、これらの一次管１３は、本発明に係る壁裏配管構造によって前記水栓金具１０に接続されている。
【００３１】
本実施の形態では、一次管１３は、可撓性を有するフレキシブルな架橋ポリエチレン管で構成されており、図２に示すように、これらは迂回することなくそのまま壁パネル４の裏面に沿って立ち上げられている。
【００３２】
ところで、図３〜図５に示すように、防水パン３のフランジ部３Ａの２箇所は切り欠かれて切欠部３ａが形成されるとともに、壁パネル４の裏面側は部分的に矩形状に切り欠かれて配管スペース４Ａが形成されている。
【００３３】
ここで、壁パネル４に前記配管スペース４Ａを形成する手順を図６（Ａ）〜（Ｃ）に従って説明する。
【００３４】
壁パネル４は、亜鉛メッキ鋼板等の表面板４ａと裏面板４ｂの間に発泡ウレタン等の断熱材４ｃをサンドイッチ状に挟んで３層構造として構成されており、裏面板４ｂと断熱材４ｃの一部には、図６（Ａ）に示すように、所定幅を隔てて互いに平行に縦方向に延びる直線状のミシン目ａ，ｂと水平に直線状に延びるミシン目ｃが形成されている。
【００３５】
而して、図６（Ａ）に示すミシン目ａ，ｂ，ｃに沿ってカッターやナイフによって壁パネル４の裏面板４ｂと断熱材４ｃを切ることによって、これらを矩形状に切り取れば、図６（Ｂ）に示すように、壁パネル４には表面板４ａを残して矩形状空間が配管スペース４Ａとして形成される。
【００３６】
上述のように壁パネル４に配管スペース４Ａが形成されると、図６（Ｃ）に示すように、表面板４ａの配管スペース４Ａに臨む部分に左右２つの円孔１４を穿設し、配管スペース４Ａの開口部に例えば亜鉛鋼板製の矩形状カバー１５を裏側から嵌め込み、開口部をカバー１５で覆う。ここで、カバー１５の下端縁を除く周縁にはフランジ１５Ａが形成されており、該カバー１５の上部には左右２つの円孔１６が穿設されている。そして、カバー１５を壁パネル４の配管スペース４Ａの開口部に嵌め込んだ状態では、該カバー１５のフランジ１５Ａは壁パネル４の裏面板４ｂの開口部周縁に密着するとともに、カバー１５に穿設された前記円孔１６と壁パネル４の表面板４ａに穿設された前記円孔１４とが合致して両者が互いに連通する（図４参照）。
【００３７】
而して、本実施の形態では、前述のように一次管１３はフレキシブルな架橋ポリエチレン管で構成されているため、これの配管に際しては容易に折り曲げることができる。従って、図２〜図５に示すように、躯体６から立ち上がる一次管１３を防水パン３の下方で折り曲げて防水パン３のフランジ部３Ａに形成された切欠部３ａに通した後、該一次管１３を、壁パネル４に形成された配管スペース４Ａ内を垂直上方へと立ち上げる。
【００３８】
壁パネル４の配管スペース４Ａ内を立ち上げられた一次管１３の各上端には連結金具１７がそれぞれ取り付けられている。そして、図４に示すように、各連結金具１７から水平に延びるねじ部１７ａは、カバー１５と壁パネル４の表面板４ａに形成された円孔１６，１４を貫通してシステムバスルーム１内に臨んでおり、該ねじ部１７ａには前記水栓金具１０が螺着され、これによって水栓金具１０が壁パネル４の表面（システムバスルーム１に面する側の面）に取り付けられる。この場合、壁パネル４の配管スペース４Ａの開口部を金属板製のカバー１５で覆い、壁パネル４の表面板４ａの裏面にカバー１５を重ねるようにしたため、表面板４ａがカバー１５によって補強され、水栓金具１０の取付強度が高められる。
【００３９】
以上のように、本発明に係る壁裏配管構造によれば、躯体６上に立ち上がる一次管１３を、防水パン３のフランジ部３Ａに形成された切欠部３ａに通して壁パネル４内の配管スペース４Ａに通して配管するようにしたため、従来要していた内部配管１２１（図１１及び図１２参照）が不要となり、配管コストが低く抑えられるとともに、施工時間が短縮されて作業能率の向上が図られる。
【００４０】
又、本実施の形態では、従来は剛性の高い銅管で構成されていた一次管１３をフレキシブルな架橋ポリエチレン管で構成したため、これを容易に曲げて配管することができ、該一次管１３の立上げ位置のズレを柔軟に吸収することができ、現場での施工性が高められる。
【００４１】
更に、本実施の形態では、表面板４ａと裏面板４ｂの間に断熱材４ｃをサンドイッチ状に挟んで３層構造として構成される壁パネル４の表面板４ａを残して裏面板４ｂと断熱材４ｃを部分的に切り取るようにしたため、該壁パネル４内に配管スペース４Ａを容易に形成することができる。
【００４２】
ところで、本実施の形態では、防水パン３のフランジ部３Ａに一次管１３の本数と同数の２つの切欠部３ａを形成し、それぞれの切欠部３ａに各一次管１３を１本ずつ通す構成を採用したため、各切欠部１３の切欠幅を小さく抑えることができ、フランジ部３Ａの強度低下を最小限に抑えることができる。これに対して、図７の斜視図に示すように、防水パン３のフランジ部３Ａの１箇所に幅広の切欠部３ａを形成し、この切欠部３ａに２本の一次管１３を通す構成を採用すれば、防水パン３のフランジ部３Ａへの加工工数及び加工コストが削減される。
【００４３】
又、本実施の形態では、防水パン３の周縁に形成されたフランジ部３Ａは、防水パン３の浴室床面に対して１段高い水平部３Ａ−１を有しているが、フランジ部３Ａとして図８及び図９に示すように水平部３Ａ−１が防水パン３の浴室床面と同一平面を成す形状のものが形成された防水パン３が使用される場合があり、このような防水パン３を備えるシステムバスに対しても本発明を適用することができる。
【００４４】
即ち、図８は防水パン３のフランジ部３Ａの断面図、図９は図８のＢ−Ｂ線断面図であり、防水パン３の周縁には壁パネル４がフランジ部３Ａの垂直部３Ａ−２に沿って立設されている。ここで、防水パン３のフランジ部３Ａには切欠部３ａが形成されており、この切欠部３ａに一次管１３を通して壁パネル４内の配管スペース４Ａに配管することができ、このような構成によっても前記と同様の効果を得ることができる。尚、図８及び図９においては、図４及び図５に示したものと同一要素には同一符号を付している。
【図面の簡単な説明】
【００４５】
【図１】本発明に係る壁裏配管構造を備えるシステムバスの斜視図である。
【図２】本発明に係る壁裏配管構造を備えるシステムバスの側断面図である。
【図３】本発明に係る壁裏配管構造を備えるシステムバスの壁裏配管部分の斜視図である。
【図４】本発明に係る壁裏配管構造を備えるシステムバスの壁裏配管部分の側断面図（図２の要部拡大断面図）である。
【図５】図４のＡ−Ａ線断面図である。
【図６】（Ａ）〜（Ｃ）は壁パネルに配管スペースを形成する手順を示す斜視図である。
【図７】本発明の別形態を示す図３と同様の図である。
【図８】本発明の別形態を示す図４と同様の図である。
【図９】図８のＢ−Ｂ線断面図である。
【図１０】従来の配管構造を示すシステムバスの側断面図である。
【図１１】従来の配管構造を示すシステムバスの斜視図である。
【図１２】従来の配管構造を示すシステムバスの分解斜視図である。
【符号の説明】
【００４６】
１        システムバスルーム
２        浴槽
３        防水パン
３Ａ      フランジ部
３Ａ−１  水平部
３Ａ−２  垂直部
３ａ      切欠部
３ｂ      立ち上がり部
４        壁パネル
４Ａ      配管スペース
４ａ      表面板
４ｂ      裏面板
４ｃ      断熱材
５        支柱
６        躯体
７        窓
８        ハンドグリップ
９        ミラー
１０      水栓金具
１１      蛇口
１２      シャワー
１３      一次管
１４      円孔
１５      カバー
１６      円孔
１７      連結金具
１８      排水口
【図１】
2006348662.tif 000003
【図２】
2006348662.tif 000004
【図３】
2006348662.tif 000005
【図４】
2006348662.tif 000006
【図５】
2006348662.tif 000007
【図６】
2006348662.tif 000008
【図７】
2006348662.tif 000009
【図８】
2006348662.tif 000010
【図９】
2006348662.tif 000011
【図１０】
2006348662.tif 000012
【図１１】
2006348662.tif 000013
【図１２】
2006348662.tif 000014